(57)【特許請求の範囲】
【請求項１】
壁部と、この壁部から直立し、中心部に貫通孔を設けた円筒状の支持部とを有するケースと、前記支持部にはめ合わされて回転可能な円筒状の軸部材と、この軸部材に取り付けられて、前記軸部材の回転により回転可能な回転部材と、前記ケースと前記回転部材の何れか一方に設けられた接触片、及び前記ケースと前記回転部材の何れか他方に設けられた導電パターンとを備え、前記軸部材と前記回転部材は、分離された別部品で形成され、前記回転部材は、クリック機構を形成する凹凸部を有する回転体と、この回転体に載置され、前記導電パターン、或いは前記接触片を設けた絶縁基板とで構成されると共に、前記軸部材には第１のスナップ脚部を設け、この第１のスナップ脚部を前記絶縁基板に係止して前記回転部材を前記軸部材に取り付けたことを特徴とする回転型電気部品。
【請求項２】
前記回転部材の少なくとも一面を覆う筺体を有し、この筺体の中央部に設けられた貫通孔に前記軸部材が挿通されて配置され、前記筺体で前記回転部材の一面を覆うようにしたことを特徴とする請求項１記載の回転型電気部品。
【請求項３】
前記軸部材は段部を有し、前記回転部材を前記段部に係止させて、前記段部と前記第１のスナップ脚部とで前記回転部材を挟持して保持したことを特徴とする請求項２記載の回転型電気部品。
【請求項４】
前記第１のスナップ脚部が軸方向に延びて形成され、前記第１のスナップ脚部が前記ケースの前記支持部の外周面と近接状態で対向したことを特徴とする請求項２，又は３の何れかに記載の回転型電気部品。
【請求項５】
前記軸部材の外周部には、半径方向に延びる肩部を設け、前記第１のスナップ脚部が前記肩部を境にして軸方向の一方側に延びて形成されたことを特徴とする請求項２から４の何れかに記載の回転型電気部品。
【請求項６】
前記第１のスナップ脚部が３個以上設けられたことを特徴とする請求項５記載の回転型電気部品。
【請求項７】
前記軸部材には第２のスナップ脚部が設けられ、この第２のスナップ脚部が前記肩部を境にして軸方向の他方側に延びて形成されたことを特徴とする請求項５，又は６記載の回転型電気部品。
【請求項８】
前記軸部材の前記第１のスナップ脚部が設けられた側の軸部分において、前記回転部材と前記筺体がはめ合わされたことを特徴とする請求項５から７の何れかに記載の回転型電気部品。
【請求項９】
前記凹凸部が前記回転体の外円周部に設けられ、前記凹凸部が前記絶縁基板の外径より内側に位置したことを特徴とする請求項１記載の回転型電気部品。
【発明の詳細な説明】
【０００１】
【発明の属する技術分野】
本発明は、自動車のエアコン等に使用される回転型電気部品のクリック構造に関する。
【０００２】
【従来の技術】
特開平１１−１７６２８７号で開示された従来の回転型電気部品を図３２、図３３に基づいて説明すると、合成樹脂の成型品からなる２１は、リング状の凹部２１ａを有する矩形状の基部２１ｂと、基部２１ｂの中央部から直立し、中心部に貫通孔２１ｃを有する円筒状の支持部２１ｄとを有し、このケース２１の基部２１ｂには、複数個の接触片２２が埋設されて取り付けられている。
【０００３】
合成樹脂の成型品からなる軸部材２３は、中央部に貫通孔２３ａを有する軸部２３ｂと、軸部２３ｂの下端部に設けられたリング状の回転体２３ｃとを有し、軸部２３ｂと回転体２３ｃとが成型によって一体に形成されると共に、軸部２３ｂは、全体が略同径のストレートな円筒状で形成されている。
そして、回転体２３ｃの下面には、コードパターンからなる導電パターン２４が形成され、導電パターン２４を設けた軸部材２３は、貫通孔２３ａに支持部２１ｄを挿通し、回転体２３ｃが凹部２１ａ内に収納されて、ケース２１に回転可能に取り付けられている。
【０００４】
金属板からなる取付板２５は、孔２５ａを有する平板部２５ｂと、平板部２５ｂから直角に折り曲げられた一対の脚部２５ｃと、平板部２５ｂから直角に折り曲げられた複数個の取付部２５ｄとを有し、この取付板２５は、孔２５ａには前方先端部から軸部２３ｂと支持部２１ｄとを挿通して、平板部２５ｂで回転体２３ｃの一面を覆い、脚部２５ｃの先端部をケース２１の下面側におり曲げして、ケース２１と軸部材２３とを取り付け、この取付板２５が取付具と筺体の機能を備えたものとなっている。
このような構成によって回転型電気部品が構成され、軸部材２３の軸部２３ｂを回転すると、回転体２３ｃと導電パターン２４が回転すると共に、導電パターン２４に接触片２２が摺接して、パルス信号を発生するようになっている。
【０００５】
また、このような回転型電気部品は、軸部２３ｂの前方部に摘み（図示せず）が取り付けられるようになっており、この摘みは、種々の形状、構成が存在し、これに合わせるために、軸部２３ｂも多種のものを用意する必要があると共に、導電パターン２４も種々のものが存在し、そのため、導電パターン２４も多種のものを用意する必要があった。
そして、従来の軸部材２３は、軸部２３ｂと導電パターン２４を設けた回転体２３ｃと一体で形成されているため、軸部２３ｂ、或いは導電パターン２４の何れか一方が異なる毎に、形成金型を用意せねばならず、コスト高になるばかりか、多種類の軸部材２３を用意する必要が生じるものであった。
また、従来の取付板２５は、摘みを取り付ける軸部２３ｂの径が変わると、孔２５ａの異なる取付板２５を用意せねばならず、種々の取付板２５を必要とし、コスト高になるものであった。
【０００６】
また、このような回転型電気部品は、プリント基板（図示せず）に取り付けられ、図３２に示すように、ケース２１の貫通孔２１ｃ内に位置するプリント基板に押しボタンスイッチ２６が配置されて使用されるようになっている。
そして、ケース２１の支持部２１ｄと、軸部材２３の軸２３ｂとを円筒状にすることによって、その中央の空間部に別の電気部品を配置可能としたスペースファクターの良い回転型電気部品が得られるものである。
【０００７】
【発明が解決しようとする課題】
従来の回転型電気部品において、軸部材２３は、軸部２３ｂと導電パターン２４を設けた回転体２３ｃとが成型により一体に形成されたものであるため、軸部２３ｂ、或いは導電パターン２４の何れか一方が異なる毎に、形成金型を用意せねばならず、コスト高になるばかりか、多種類の軸部材２３を用意する必要が生じるという問題がある。
また、従来の取付板２５は、摘みを取り付ける軸部２３ｂの径が変わると、孔２５ａの異なる取付板２５を用意せねばならず、種々の取付板２５を必要とし、コスト高になるという問題がある。
【０００８】
そこで、本発明は、部品の標準化が図れて、安価な回転型電気部品を提供することを目的とする。
【０００９】
【課題を解決するための手段】
上記課題を解決するための第１の解決手段として、壁部と、この壁部から直立し、中心部に貫通孔を設けた円筒状の支持部とを有するケースと、前記支持部にはめ合わされて回転可能な円筒状の軸部材と、この軸部材に取り付けられて、前記軸部材の回転により回転可能な回転部材と、前記ケースと前記回転部材の何れか一方に設けられた接触片、及び前記ケースと前記回転部材の何れか他方に設けられた導電パターンとを備え、前記軸部材と前記回転部材は、分離された別部品で形成され、前記回転部材は、クリック機構を形成する凹凸部を有する回転体と、この回転体に載置され、前記導電パターン、或いは前記接触片を設けた絶縁基板とで構成されると共に、前記軸部材には第１のスナップ脚部を設け、この第１のスナップ脚部を前記絶縁基板に係止して前記回転部材を前記軸部材に取り付けた構成とした。
【００１０】
また、第２の解決手段として、前記回転部材の少なくとも一面を覆う筺体を有し、この筺体の中央部に設けられた貫通孔に前記軸部材が挿通されて配置され、前記筺体で前記回転部材の一面を覆うようにした構成とした。
また、第３の解決手段として、前記軸部材は段部を有し、前記回転部材を前記段部に係止させて、前記段部と前記第１のスナップ脚部とで前記回転部材を挟持して保持した構成とした。
また、第４の解決手段として、前記第１のスナップ脚部が軸方向に延びて形成され、前記第１のスナップ脚部が前記ケースの前記支持部の外周面と近接状態で対向した構成とした。
【００１１】
また、第５の解決手段として、前記軸部材の外周部には、半径方向に延びる肩部を設け、前記第１のスナップ脚部が前記肩部を境にして軸方向の一方側に延びて形成された構成とした。
また、第６の解決手段として、前記第１のスナップ脚部が３個以上設けられた構成とした。
また、第７の解決手段として、前記軸部材には第２のスナップ脚部が設けられ、この第２のスナップ脚部が前記肩部を境にして軸方向の他方側に延びて形成された構成とした。
【００１２】
また、第８の解決手段として、前記軸部材の前記第１のスナップ脚部が設けられた側の軸部分において、前記回転部材と前記筺体がはめ合わされた構成とした。
また、第９の解決手段として、前記凹凸部が前記回転体の外円周部に設けられ、前記凹凸部が前記絶縁基板の外径より内側に位置した構成とした。
【００１３】
【発明の実施の形態】
本発明の回転型電気部品の図面を説明すると、図１は本発明の回転型電気部品に係る平面図、図２は本発明の回転型電気部品に係る側面図、図３は本発明の回転型電気部品に係る下面図、図４は図１の４−４線における断面図、図５は図１の５−５線における断面図、図６は図５の６−６線における断面図である。
【００１４】
また、図７は本発明の回転型電気部品に係り、その動作を示す説明図、図８は図７の８−８線における断面図、図９は本発明の回転型電気部品に係る分解斜視図、図１０は本発明の回転型電気部品に係るケースの平面図、図１１は本発明の回転型電気部品に係るケースの下面図、図１２は図１０の１２−１２線における断面図である。
【００１５】
また、図１３は本発明の回転型電気部品に係る軸部材の平面図、図１４は本発明の回転型電気部品に係る軸部材の正面図、図１５は本発明の回転型電気部品に係る軸部材の下面図、図１６は図１３の１６−１６線における断面図、図１７は本発明の回転型電気部品に係る回転体の平面図、図１８は本発明の回転型電気部品に係る回転体の正面図、図１９は本発明の回転型電気部品に係る回転体の下面図、図２０は図１７の２０−２０線における断面図である。
【００１６】
また、図２１は本発明の回転型電気部品に係る絶縁基体の平面図、図２２は本発明の回転型電気部品に係る絶縁基体の正面図、図２３は本発明の回転型電気部品に係る筺体の平面図、図２４は本発明の回転型電気部品に係る筺体の下面図、図２５は本発明の回転型電気部品に係る筺体の側面図、図２６は図２４の２６−２６線における断面図、図２７は本発明の回転型電気部品に係るクリック部材の平面図、図２８は本発明の回転型電気部品に係るクリック部材の側面図、図２９は本発明の回転型電気部品に係る取付板の正面図、図３０は本発明の回転型電気部品に係る取付板の下面図、図３１は図３０の３１−３１線における断面図である。
【００１７】
次に、図１〜図３１に基づいて本発明の回転型電気部品の構成を説明すると、合成樹脂の成型品からなるケース１は、特に、図９と図１０〜図１２に示すように、円弧状部と略矩形状部とで略馬蹄型に形成された平板状の壁部１ａと、この壁部１ａの外周部の一部を除く部分において、壁部１ａから直立して設けられた側壁１ｂと、壁部１ａの内周部において設けられ、貫通孔１ｃを有する円筒状の支持部１ｄと、この支持部１ｄの自由端側に設けられ、係止爪が貫通孔１ｃ側に位置した複数のスナップ脚部１ｅと、側壁１ｂと支持部１ｄとの間の壁部１ａ上において、円弧状と放射状との組合せで形成された凸条部からなるリブ部１ｆとを有する。
【００１８】
また、ケース１は、壁部１ａの略矩形状部に設けられた収納部１ｇと、この収納部１ｇに位置する壁部１ａに設けられた複数の突起１ｈと、壁部１ａの外部に設けられた位置決め用の凸部１ｊとを有し、そして、このケース１は、リブ部１ｆで囲まれた部分（図のハッチング部分）が薄肉部で形成されており、この薄肉部を形成することにより、材料費を少なくすると共に、形成後の引けを少なくして、寸法精度を向上させている。
【００１９】
合成樹脂の成型品からなる軸部材２は、特に図９、図１３〜図１６に示すように、円筒状をなし、外周部の軸方向の中間部に設けられ、半径方向に延びる肩部２ａと、この肩部２ａを境にして軸方向の一端側に設けられ、係止爪が外側に位置した複数（３個以上）の第１のスナップ脚部２ｂと、肩部２ａを境にして軸方向の他端側で、前記第１のスナップ脚部２ｂと異なる位置に設けられ、係止爪が外側に位置した複数の第２のスナップ脚部２ｃと、軸部材２の一端で形成された段部２ｇとを有する。
そして、この軸部材２は、その円筒状の内部に、ケース１の筒状の支持部１ｄが挿入され、支持部１ｄを軸として回転可能に取り付けられている。
この時、軸方向に延びる第１のスナップ脚部２ｂは、支持部１ｄの外周面と近接状態で対向した状態となっている。
【００２０】
軸部材２と分離されて別部品で形成された回転部材３は、合成樹脂の成型品からなる回転体４と、この回転体４に組み合わされた絶縁基板５とで形成されている。
なお、回転体４と絶縁基板５とは、合成樹脂の成型品で一体に形成しても良い。
そして、前記回転体４は、特に図９、図１７〜図２０に示すように、筒状部４ａと、この筒状部４ａの外周部の軸方向の中間部に設けられた半径方向に延びる鍔部４ｂと、この鍔部４ｂから更に突出した扇状のストッパー部４ｃと、鍔部４ｂを境にして一方側の径の大きな筒状部４ａの外円周部に設けられた複数の凹凸部４ｄと、鍔部４ｂを境にして他方側の径の小さな筒状部４ａの軸方向に設けられた複数の溝部４ｅと、鍔部４ｂとストッパー部４ｃの跨る位置に設けられた凸部４ｆと、筒状部４ａの内部において、前記溝部４ｅの両側に設けられた円弧状の段部４ｇとを有する。
【００２１】
また、絶縁基板５は、特に図９に示すように、リング状をなし、中心部に設けられた大きな孔５ａと、外周部近傍に設けられた小さな１個の孔５ｂを有すると共に、この絶縁基板５の一面には、導電体のコードパターン等からなる導電パターン６が設けられている。
そして、この絶縁基板５は、孔５ａに回転体４の他方側の径の小さい筒状部４ａが挿通され、孔５ｂに凸部４ｆが嵌合した状態で、導電パターン６の存在しない面が鍔部４ｂとストッパー部４ｃの一面に重ね合わされている。
この時、回転体４の凹凸部４ｄは、絶縁基板５の外径より内側に位置した状態となっている。
【００２２】
また、絶縁基板５が鍔部４ｂに重ね合わされて、回転体４と絶縁基板５とが、孔５ａに筒状部４ａが挿通され、孔５ｂに凸部４ｆが挿通されて板面方向に位置決めされた状態で組み合わされた回転部材３は、回転体４の筒状部４ａ内に軸部材２が挿入されて、第１のスナップ脚部２ｂが溝部４ｅを通って絶縁基板５に掛け止め（導電パターン６の形成面にスナップ止め）され、回転部材３が軸部材２と組み合わされて、軸部材２と共に回転可能となっている。
この時、軸部材２の段部２ｇが回転体４の段部４ｇに当接して、この段部２ｇと第１のスナップ脚部２ｂとで回転部材３を挟持して保持している。
そして、軸部材２がケース１に取り付けられた際、絶縁基板５の導電パターン６の形成面側がリム部１ｆに近接した状態となっている。
また、スナップ脚部２ｂは、図４あるいは図５を参照すれば明らかなように、支持部１ｄとの間に若干の隙間を形成するよう、１段低い位置に形成されており、支持部１ｄと摺動しないようになっている。
但し、隙間は僅かであり、仮に内側に撓んだとしても支持部１ｄに当接して、掛け止めが外れないようになっている。
【００２３】
矩形状の絶縁基体７は、合成樹脂の成型品からなり、特に図９，図２１、図２２に示すように、複数個の孔７ａを有すると共に、この絶縁基体７には、接触部８ａと端子部８ｂを有する金属薄板からなる複数個の接触片８が埋設されて取り付けられている。
そして、この絶縁基体７は、特に図４に示すように、ケース１の突起１ｈを孔７ａに挿通した状態でケース１の収納部１ｇに収納され、突起１ｈの先端を熱カシメして、ケース１に取り付けられている。
【００２４】
このように絶縁基体７がケース１に取り付けられると、接触部８ａが導電パターン６に接触すると共に、端子部８ｂがケース１から外に突出した状態となり、軸部材２の回転により絶縁基板５が回転すると、導電パターン６が複数個の接触片８に接離して、パルスを発生するようになっている。
また、ケース１側に導電パターン６を設けると共に、回転部材３側に接触片８を設けても良い。
これによって回転型電気部品が形成されており、この実施例ではエンコーダによる回転型電気部品を示したが、可変抵抗器等による回転型電気部品でも良い。
【００２５】
合成樹脂の成型品からなり、保持部材を構成する筺体９は、特に図９，図２３〜図２６に示すように、前記ケース１と略同じ形状を成し、円弧状を成す平板状の壁部９ａと、この壁部９ａから段差を持って形成された略矩形状の壁部９ｂと、円弧状の壁部９ａの内周部において直立して設けられ、貫通孔９ｃを有するリング状の内側壁９ｄと、円弧状の壁部９ａと矩形状の壁部９ｂの外周部に直立して設けられた外側壁９ｅとを有する。
【００２６】
また、筺体９は、矩形状の壁部９ｂの位置において、内、外側壁９ｄ、９ｅとで囲まれて形成された収納部９ｆと、この収納部９ｆ内に位置し、内側壁９ｄの一部が切断されてると共に、間隔を置いて設けられたストッパー部を構成する一対の突起９ｍで形成された比較的幅広の側壁９ｇを有する凹部９ｈと、貫通孔９ｃの中心と凹部９ｈの中央部を結ぶ線上において、矩形状の壁部９ｂに設けられた凹状の細長の溝部９ｊと、この収納部９ｆ内に設けられ、溝部９ｊが頂部となった山形の肩部９ｋとを有する。
【００２７】
そして、このような筺体９は、中央の貫通孔９ｃに軸部材２の筒状部が挿通されて、筺体９に対して軸部材２が回転可能となっている。
次に、この筺体９と回転部材３である回転体４，絶縁基板５の軸部材２への組立について説明すると、先ず、筺体９の貫通孔９ｃに、軸部材２の第１のスナップ脚部２ｂが設けられた側の軸部分を挿通して、筺体９を第１のスナップ脚部２ｂ側の軸部分に取り付ける。
【００２８】
次に、絶縁基板５を回転体４の鍔部４ｂに重ね合わして、回転体４と絶縁基板５とが組み合わされた回転部材３を形成し、この回転部材３を構成する回転体４の筒状部４ａ内に、軸部材２の第１のスナップ脚部２ｂ側の軸部分を挿入する。
そして、軸部材２の第１のスナップ脚部２ｂが溝部４ｅを通って絶縁基板５に掛け止め（導電パターン６の形成面にスナップ止め）され、軸部材２の段部２ｇが回転体４の段部４ｇに当接して、この段部２ｇと第１のスナップ脚部２ｂとで回転部材３を挟持する。
【００２９】
この時、筺体９は回転部材３の一面を覆うと共に、筺体９の一端が軸部材２の肩部２ａにぶつかって係止されることにより、筺体９が軸部材２から抜けることが無くなり、軸部材２には、筺体９，回転体４，及び絶縁基板５が取り付けられた状態で、組み合わされる。
また、この時、回転体４の鍔部４ｂと扇状のストッパー部４ｃは、筺体９の壁部９ａの内面に重ね合わされた状態となっている。
そして、固定状態にある筺体９に対して、軸部材２によって回転体４が回転すると、ストッパー部４ｃの扇状の端部が突起９ｍの端部９ｎにぶつかって、回転体４，及び軸部材２の回転がストップするようになっている。
更に、筺体９，回転体４，及び絶縁基板５を取り付けた軸部材２は、ケース１の支持部１ｄにはめ合わされて取り付けられると共に、筺体９の円弧状と矩形状の壁部９ａ、９ｂの外形がケース１の円弧状部と矩形状部の外形に合わされた状態で配置される。
【００３０】
また、合成樹脂の成型品からなるクリック部材１０は、特に図２７，図２８に示すように、本体部１０ａと、この本体部１０ａから直立して形成された凸部１０ｂとを有している。
そして、本体部１０ａは、前方部１０ｃの端部が後方部１０ｄよりも大きな半径の円弧状面１０ｅで形成されると共に、後方部１０ｄの端部が前方部１０ｃよりも小さい半径の円弧状面１０ｆで形成されて、前方部１０ｃの幅が後方部１０ｄの幅よりも広く形成されている。
また、凸部１０ｂは、後方部１０ｄ側において、本体部１０ａの一面から直立状に突出して形成されると共に、凸部１０ｂの一部が後方部１０ｄの端部から後方側に突出（はみ出した状態）して形成されている。
【００３１】
そして、このようなクリック部材１０は、筺体９の収納部９ｆ内に配置され、前方部１０ｃが凹部９ｈ内に位置して、前方部１０ｃの両側が側壁９ｇで支持されると共に、凸部１０ｂが溝部９ｊにはめ合わされた状態で取り付けられており、このクリック部材１０は、側壁９ｇと溝部９ｊをガイドにして、半径方向に移動可能となっている。
【００３２】
また、付勢部材１１は、金属製の板バネ、ピアノ線等のバネ部材で形成されると共に、クリック部材１０とは分離された別部品で構成され、この付勢部材１１は、特に図６に示すように、筺体９の収納部９ｆに配置され、両端部を肩部９ｋに当接させた状態で、中央部がクリック部材１０の後方部１０ｄの端部に設けられた円弧状面１０ｆに当接して、クッリク部材１０を貫通孔９ｃの中心方向に弾圧している。
【００３３】
また、筺体９に移動可能に取り付けられたクリック部材１０の前方部１０ｃは、付勢部材１１により回転体４の凹凸部４ｄに弾圧され、そして、回転体４の回転に伴ってクリック部材１０が凹凸部４ｄと係脱して節度感を生起するクリック機構が構成されている。
更に、クッリク部材１０は、本体部１０ａの一面が筺体９に載置されると共に、本体部１０ａの前方部１０ｃの他面側の一部には回転体４の鍔部４ｂが当接し、筺体９と回転体４とによって両面が挟持されて保持されている。
【００３４】
金属板からなる取付板１２は、特に図９，図２９〜図３１に示すように、孔１２ａを有する平板部１２ｂと、孔１２ａの周縁から折り曲げされて形成された複数の取付脚１２ｃと、平板部１２ｂの一端から取付脚１２ｃと反対方向に折り曲げされた広幅の脚部１２ｄと、平板部１２ｂの他端から取付脚１２ｃと反対方向に折り曲げされた細幅の脚部１２ｅとを有する。
【００３５】
そして、この取付板１２は、平板部１２ｂをケース１の壁部１ａに載置し、広幅の脚部１２ｄをケース１の矩形状部の外側に位置させて、一対の脚部１２ｄ、１２ｅでケース１と筺体９を抱持し、しかる後、脚部１２ｄ、１２ｅの先端部を筺体９の壁部９ａ、９ｂ側に直角に折り曲げて取り付ける。
すると、この取付板１２によって、ケース１に筺体９、軸部材２等が取り付けられた状態となる。
【００３６】
このようにして構成された回転型電気部品は、図４，図５に示すように、プリント基板１３上に載置され、ケース１の凸部１ｊがプリント基板１３の孔（図示せず）に挿入されることによってプリント基板１３への位置決めが成されると共に、接触片８の端子部８ｂと、取付板１２の取付脚１２ｃがプリント基板１３に挿通されて半田付けされることにより、プリント基板１３に取付と配線が成されるものである。
なお、ケース１の貫通孔１ｃ内に位置するプリント基板１３には、ここでは図示しないが、押しボタンスイッチが配置されたものとなっている。
また、ここでは図示しないが、軸部材２には摘みが取り付けられるようになっており、この摘みは、その一端を肩部２ａに当接した状態で、第２のスナップ脚部２ｃを摘みに係止し、肩部２ａと第２のスナップ脚部２ｃとで摘みを挟持して取り付けるようになっている。
【００３７】
上記のような構成を有する回転型電気部品の動作を説明すると、先ず、軸部材２を回転すると、軸部材２は、回転部材３である回転体４と絶縁基板５を伴って、ケース１の支持部１ｄを軸として回転する。
すると、回転体４の回転で、凹凸部４ｄの谷部に位置したクリック部材１０の前方部１０ｃが付勢部材１１のバネ性に抗して、凹凸部４ｄの山部によって後方に押し出される。
【００３８】
この時、クリック部材１０は、前方部１０ｃが凹部９ｈの側壁９ｇにガイドされると共に、凸部１０ｂが溝部９ｊにガイドされて、図７，図８に示すように、半径方向に移動する。
そして、この半径方向の移動時、クリック部材１０は側壁９ｇと溝部９ｊの支持により、円周方向（回転方向）でのガタツキが少ないものとなっている。
また、更に回転を続けると、次に、クリック部材１０は凹凸部４ｄの谷部に落ち込み、これによって、クリック部材１０が凹凸部４ｄに係脱して、軸部材２の回転に節度感が得られるようになっている。
なお、実施例において、付勢部材１１が当接する円弧状面１０ｆは、凸部１０ｂの後端部と前方部１０ｃとの間に配置したので、クリック部材１０が傾きづらく、安定して半径方向に移動させることができ、また、付勢部材１１を中心に近い位置に配置できるので、半径方向の寸法を抑えることができる。
【００３９】
そして、軸部材２の回転は、回転体４のストッパー部４ｃが筺体９の突起９ｍの端部９ｎに当接するとストップするようになっていると共に、その軸部材２の回転により絶縁基板５と共に導電パターン６も回転し、これによって、この導電パターン６に接触片８が接離して、パルスを発生するものである。
その結果、エアコンの温度、或いは風量等の調整が行われるものである。
【００４０】
上記実施例では、回転体４に設けられた凹凸部４ｄは、外円周部（軸方向と平行な面）に設けたもので説明したが、この凹凸部４ｄを回転体４の軸方向と直交する面に設け、この凹凸部４ｄにクリック部材１０を係脱するように、付勢部材１１で弾圧するようにしても良い。
また、クリック部材１０が１個の保持部材９で保持されるようにしたが、２個の保持部材９により保持するようにしても良い。
【００４１】
【発明の効果】
本発明の回転型電気部品は、軸部材２と回転部材３とが分離された別部品で形成されているため、軸部材２と回転部材３とを別々に作って、両者を組み合わせれば良く、部品の標準化が図れ、従来に比して、安価な回転型電気部品を提供できる。
また、軸部材２には第１のスナップ脚部２ｂを設け、この第１のスナップ脚部２ｂで回転部材３を軸部材２に取り付けるため、その組立も簡単で、生産性が良好である。
また、円筒状の支持部１ｄにすることによって、その中心部には、押しボタンスイッチ等の別の電気部品を配置することができ、スペースファクターの良い回転型電気部品が得られるものである。
【００４２】
また、回転部材３の少なくとも一面を覆う筺体９を有し、この筺体９の中央部に設けられた貫通孔９ｃに軸部材２が挿通されて配置され、筺体９で回転部材３の一面を覆うようにしたため、ケース１と筺体９とによって、接触片８と導電パターン６とを塞ぐことができ、長期にわたって接触の安定したものが得られる。
【００４３】
また、軸部材２は段部２ｇを有し、回転部材３を段部２ｇに係止させて、段部２ｇと第１のスナップ脚部２ｂとで回転部材３を挟持して保持したため、軸部材２への回転部材３の取付が確実であると共に、その組立作業が簡単で、生産性の良好なものが得られる。
【００４４】
また、第１のスナップ脚部２ｂが軸方向に延びて形成され、第１のスナップ脚部２ｂがケース１の支持部１ｄの外周面と近接状態で対向したため、第１のスナップ脚部２ｂの移動が支持部１ｄで阻止されて、回転部材３が軸部材２から不用意に抜け出ることが阻止され、回転部材３の取付が確実となる。
【００４５】
また、軸部材２の外周部には、半径方向に延びる肩部２ａを設け、第１のスナップ脚部２ｂが肩部２ａを境にして軸方向の一方側に延びて形成されたため、軸部材２への摘みの取付の際、この肩部２ａが摘みの軸方向での位置決めとなり、摘みの取付が一定にできる。
【００４６】
また、第１のスナップ脚部２ｂが３個以上設けられたため、回転部材３に対する押さえ部分が多くなって、回転部材３の保持が確実であると共に、回転部材３の面の傾きを少なくでき、回転部材３の面が軸方向に対して垂直な状態で保持でる。
【００４７】
また、軸部材２には第２のスナップ脚部２ｃが設けられ、この第２のスナップ脚部２ｃが肩部２ａを境にして軸方向の他方側に延びて形成されたため、この第２のスナップ脚部２ｃを摘みの取付に利用でき、第２のスナップ脚部２ｃと肩部２ａとで摘みを確実に取り付けできると共に、摘みの取付も簡単となる。
【００４８】
また、軸部材２の第１のスナップ脚部２ｂが設けられた側の軸部分において、回転部材３と筺体９がはめ合わされたため、筺体９の貫通孔９ｃは、肩部２ａを通す必要がないため、貫通孔９ｃの大きさを小さくでき、接触片８等への防塵効果が良く、且つ、肩部２ａが貫通孔９ｃの上部を塞ぐことができて、一層、防塵性が良くなる。
また、肩部２ａを境にして摘みを取り付ける側の軸部分は、摘みによって径の異なるものとなるが、第１のスナップ脚部２ｂが設けられた側の軸部分は同じ径で良く、従って、筺体９を共通にできて、安価なものを提供できる。
【００４９】
また、回転部材３は、クリック機構を形成する凹凸部４ｄを有する回転体４と、この回転体４に載置され、導電パターン６、或いは接触片８を設けた絶縁基板５とで構成され、絶縁基板５に第１のスナップ脚部２ｂを係止したため、回転体４と絶縁基板５とが第１のスナップ脚部２ｂで同時に取り付けできて、その構成が簡単で、生産性の良好なものが得られる。
【００５０】
また、凹凸部４ｄが回転体４の外円周部に設けられ、凹凸部４ｄが絶縁基板５の外径より内側に位置したため、凹凸部４ｄが絶縁基板５の外径からはみ出すことが無く、小型のクリック機構が得られる。
【図面の簡単な説明】
【図１】本発明の回転型電気部品に係る平面図。
【図２】本発明の回転型電気部品に係る側面図。
【図３】本発明の回転型電気部品に係る下面図。
【図４】図１の４−４線における断面図。
【図５】図１の５−５線における断面図。
【図６】図５の６−６線における断面図。
【図７】本発明の回転型電気部品に係り、その動作を示す説明図。
【図８】図７の８−８線における断面図。
【図９】本発明の回転型電気部品に係る分解斜視図。
【図１０】本発明の回転型電気部品に係るケースの平面図。
【図１１】本発明の回転型電気部品に係るケースの下面図。
【図１２】図１０の１２−１２線における断面図。
【図１３】本発明の回転型電気部品に係る軸部材の平面図。
【図１４】本発明の回転型電気部品に係る軸部材の正面図。
【図１５】本発明の回転型電気部品に係る軸部材の下面図。
【図１６】図１３の１６−１６線における断面図。
【図１７】本発明の回転型電気部品に係る回転体の平面図。
【図１８】本発明の回転型電気部品に係る回転体の正面図。
【図１９】本発明の回転型電気部品に係る回転体の下面図。
【図２０】図１７の２０−２０線における断面図。
【図２１】本発明の回転型電気部品に係る絶縁基体の平面図。
【図２２】本発明の回転型電気部品に係る絶縁基体の正面図。
【図２３】本発明の回転型電気部品に係る筺体の平面図。
【図２４】本発明の回転型電気部品に係る筺体の下面図。
【図２５】本発明の回転型電気部品に係る筺体の側面図。
【図２６】図２４の２６−２６線における断面図。
【図２７】本発明の回転型電気部品に係るクリック部材の平面図。
【図２８】本発明の回転型電気部品に係るクリック部材の側面図。
【図２９】本発明の回転型電気部品に係る取付板の正面図。
【図３０】本発明の回転型電気部品に係る取付板の下面図。
【図３１】図３０の３１−３１線における断面図。
【図３２】従来の回転型電気部品の断面図。
【図３３】従来の回転型電気部品の分解斜視図。
【符号の説明】
１  ケース
１ａ  壁部
１ｂ  側壁
１ｃ  貫通孔
１ｄ  支持部
１ｅ  スナップ脚部
１ｆ  リブ部
１ｇ  収納部
１ｈ  突起
１ｊ  凸部
２  軸部材
２ａ  肩部
２ｂ  スナップ脚部
２ｃ  スナップ脚部
２ｇ  段部
３  回転部材
４  回転体
４ａ  筒状部
４ｂ  鍔部
４ｃ  ストッパー部
４ｄ  凹凸部
４ｅ  溝部
４ｆ  凸部
４ｇ  段部
５  絶縁基板
５ａ  孔
５ｂ  孔
６  導電パターン
７  絶縁基体
７ａ  孔
８  接触片
８ａ  接触部
８ｂ  端子部
９  筺体（保持部材）
９ａ  壁部
９ｂ  壁部
９ｃ  貫通孔
９ｄ  内側壁
９ｅ  外側壁
９ｆ  収納部
９ｇ  側壁
９ｈ  凹部
９ｊ  溝部
９ｋ  肩部
９ｍ  突起
９ｎ  端部
１０クリック部材
１０ａ  本体部
１０ｂ  凸部
１０ｃ  前方部
１０ｄ  後方部
１０ｅ  円弧状面
１０ｆ  円弧状面
１１  付勢部材
１２  取付板
１２ａ  孔
１２ｂ  平板部
１２ｃ  取付脚
１２ｄ  脚部
１２ｅ  脚部
１３  プリント基板
【図１】
0003860382.tif 000002
【図２】
0003860382.tif 000003
【図３】
0003860382.tif 000004
【図４】
0003860382.tif 000005
【図５】
0003860382.tif 000006
【図６】
0003860382.tif 000007
【図７】
0003860382.tif 000008
【図８】
0003860382.tif 000009
【図９】
0003860382.tif 000010
【図１０】
0003860382.tif 000011
【図１１】
0003860382.tif 000012
【図１２】
0003860382.tif 000013
【図１３】
0003860382.tif 000014
【図１４】
0003860382.tif 000015
【図１５】
0003860382.tif 000016
【図１６】
0003860382.tif 000017
【図１７】
0003860382.tif 000018
【図１８】
0003860382.tif 000019
【図１９】
0003860382.tif 000020
【図２０】
0003860382.tif 000021
【図２１】
0003860382.tif 000022
【図２２】
0003860382.tif 000023
【図２３】
0003860382.tif 000024
【図２４】
0003860382.tif 000025
【図２５】
0003860382.tif 000026
【図２６】
0003860382.tif 000027
【図２７】
0003860382.tif 000028
【図２８】
0003860382.tif 000029
【図２９】
0003860382.tif 000030
【図３０】
0003860382.tif 000031
【図３１】
0003860382.tif 000032
【図３２】
0003860382.tif 000033
【図３３】
0003860382.tif 000034